【事件の表示】
　特願２０１０−１８８６２３「光源装置及びプロジェクター」拒絶査定不服審判事件〔平成２３年１１月　４日出願公開、特開２０１１−２２１４８２、請求項の数（９）〕について、次のとおり審決する。
【結　論】
　原査定を取り消す。
　本願の発明は、特許すべきものとする。
【理　由】
第１　手続の経緯
　本願は、平成２２年８月２５日（国内優先権主張　平成２２年３月２４日）の出願であって、平成２６年２月１２日付け（発送日　同年同月１８日）で拒絶理由が通知され同年４月１８日付けで意見書が提出されるとともに同日に手続補正がされ、同年１０月２１日付け（発送日　同年同月２８日）で拒絶理由が通知され、平成２７年１月５日付けで意見書が提出されるとともに同日に手続補正がされたが、同年６月１９日付け（送達日　同年同月２３日）で拒絶査定（以下、「原査定」という。）がされ、これに対し、同年９月２４日に拒絶査定不服審判が請求されるとともに同日に手続補正がされ、その後、当審において平成２８年６月３０日付け（発送日　同年７月５日）で拒絶理由（以下、「当審拒絶理由」という。）が通知され、同年８月３１日付けで意見書が提出されるとともに同日に手続補正がされたものである。
　
第２　本願発明
　本願の請求項１ないし９に係る発明は、平成２８年８月３１日付けの手続補正で補正された特許請求の範囲の請求項１ないし９に記載された事項により特定されるものと認められる。
　本願の請求項１に係る発明（以下、「本願発明」という。）は以下のとおりである。
「冷却流体を送出する冷却装置を備えたプロジェクターに組み込んで使用される光源装置であって、
　内部に一対の電極が配置された発光部を有し、当該一対の電極間で放電発光する発光管と、
　前記発光部に対して当該光源装置から出射される光束の進行方向とは反対方向側に位置し、前記発光部から入射された光を前記進行方向側に反射させる略凹曲面状の反射面を有する第１反射部材と、
　前記発光管及び前記第１反射部材を内部に収納する収納体と、を有し、
　前記収納体は、
　前記発光管が収納される収納空間と、
　導入口を介して導入された前記冷却流体を、前記収納空間内に流通させる複数の開口部と、を有し、
　前記複数の開口部は、前記発光管の中心軸が略水平方向に沿うように前記発光管が配置された場合に、それぞれ前記発光管より鉛直方向における上側の位置で、かつ、前記発光管の中心を通る鉛直面に対して略対称となる位置に形成及び配置され、当該複数の開口部を通過する前記冷却流体をそれぞれ略同じ流速で通過させて前記発光部より鉛直方向における上側で、かつ、前記第１反射部材の反射面上に設定された衝突位置にて衝突させ、
　前記衝突位置にて衝突した前記冷却流体の一部は、前記発光部における上部に流通する
　ことを特徴とする光源装置。」　
　
第３　原査定の理由について
１　原査定の理由の概要
　本願発明は、その優先日前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　
　　　　　　　　　　　　　　　　　記
　
刊行物１：特開２００８−２５０２８７号公報（以下、「引用文献１」という。）
　
　引用文献１には、プロジェクタに用いられる光源装置であって、内部に電極１１２，１１３の先端部とガスとが封入された発光部１１１を有するランプ本体１１と、ハウジングとを備えた光源装置（特に、段落［０００１］、［００２６］、図１等参照。）が記載され、また、ハウジングの底面に、２つの送風口が形成され、送風口から導入される冷却用空気は、ハウジング上面の整流板によってランプ本体の上部に流通して各部を冷却した後、ランプ本体の下部周辺に導かれて、排気口から排気されること（特に、段落［００３９］、［００４０］、図６等参照。）も記載され、さらに、図６には、２つの送風口や排気口が左右対称に設けられていることが示されている。
　そうすると、引用文献１記載の発明においても、送風口から導入されて排気口から排気される冷却用空気は、左右対称に、略同じ流速で移動する蓋然性が高いから、両者の相違点は、開口部の位置が、本願の請求項１に係る発明は「発光管より鉛直方向における上側の位置」であるのに対して、引用文献１記載の発明は、発光管より下側の位置であるところ、送風口を、ハウジングの上下方向のいずれの位置に設けるかは当業者が適宜設計し得た事項であるから、引用文献１記載の発明から、当業者が容易に想到し得たものである。
　
２　原査定の理由の判断
（１）刊行物の記載事項
ア　原査定の拒絶の理由に引用された、本願出願の優先日前に頒布された刊行物である引用文献１には、以下の記載がある（下線は当審が付した。）。
（ア）「【技術分野】
【０００１】
　本発明は、
光源装置
用い
プロジェクタに
　
（イ）「【００２４】
〔第１実施形態〕
　図１は、本実施形態に係る光源装置の内部構成を説明する断面図である。本光源装置１は、
放電発光型の発光管であるランプ本体１１と、ランプ本体１１から射出された光源光を反射する楕円型のリフレクタ１３と、リフレクタ１３で反射された光源光をコリメートする凹レンズ１５とを含
ランプ本体１１から射出された光源光は、リフレクタ１３及び凹レンズ１５を経て平行化され、前方側に射出され
ランプ本体１１は、リフレクタ１３に支持されてリフレクタ１３とともにランプ装置を構成しており、リフレクタ１３と凹レンズ１５とは、保持部の一例であるハウジング１７
にアライメントされた状態で固定され
【００２５】
　
ランプ本体１１は、中央部が球状に膨出した石英ガラス管から構成され、中央部分が発光部１１１、この発光部１１１の両側に延びる部分が第１及び第２封止部１１２，１１３となってい
【００２６】
　
発光部１１１の内部には、所定距離で離間配置される一対のタングステン製の電極１１４，１１５の先端部
が封入され
電圧を印加すると、一対の電極１１４，１１５間でアーク放電が生じ、発光部１１１が高輝度で発光する
【００３０】
　また、本実施形態の
光源装置１は、内部に冷却用の空気（冷却用空気）を導入し、ランプ本体１１の各部を冷却する冷却構造を備え
【００３１】
　図２に示すように、光源装置１は、リフレクタ１３及び凹レンズ１５を固定するためのハウジング１７を含む。このハウジング１７の底面には、ランプ本体１１の下側となる位置に、ハウジング１７の内部と外部とを連通する送風口１７１が形成されている。また、光射出側すなわち前方から見て左側の側面には、ランプ本体１１の側方位置に、ハウジング１７の内部と外部とを連通する排気口１７３が形成されている。一方、ハウジング１７上面の内壁には、送風口１７１と対向する位置にこの送風口１７１から導入される冷却用空気を整流する第１の整流部である整流板１７４が配置されている。
【００３２】
　そして、光源装置１の冷却構造は、ハウジング１７に具備される送風口１７１、排気口１７３、及び整流板１７４のほか、送風口１７１を介して光源装置１の内部に冷却用空気を送り込む冷却ファン１７５によって構成される。送風口１７１は、光源装置１の内部に冷却用空気を導入する。この送風口１７１は、冷却ファン１７５によって発生する冷却用空気の風向を調整する第２の整流部であるルーバ１７２を備え、冷却用空気が整流板１７４に向けて流通するように風向きが予め設定される。整流板１７４は、図２（ａ）に示すように、ハウジング１７上面の内壁を形成する曲面に沿って湾曲され、整流板１７４に向かう冷却用空気の風向方向に対して、接線方向が所定角度傾斜するように構成される。この整流板１７４は、送風口１７１から導入された冷却用空気の流路をそれ自身の曲面形状によってランプ本体１１の方向に流通させ、冷却用空気をリフレクタ１３の内側に導く。
【００３３】
　図３は、光源装置１の概略側面図であり、前述の冷却構造によって導入される冷却用空気の流路を矢印により示している。図３に示すように、冷却ファン１７５によって発生する冷却用空気は、ハウジング１７底面の送風口１７１から導入され、ルーバ１７２によってハウジング１７上面の整流板１７４に向けて流通するが、このとき、冷却用空気は、先ず、発光部１１１から延びる第２封止部１１３を流通し、第２封止部１１３を冷却する。そして、整流板１７４に到達した冷却用空気は、リフレクタ１３の内側に導かれてランプ本体１１上側の各部を冷却する。また、リフレクタ１３の内部に導かれた冷却用空気のうちの一部が副反射鏡１１８の周辺に流通し、副反射鏡１１８周辺の各部を冷却する。また、ランプ本体１１の上部を冷却した冷却用空気は、リフレクタ１３の楕円カーブに沿ってランプ本体１１の下部に導かれ、排気口１７３から排気される。
【００３４】
　この冷却構造によって、ハウジング１７の底面から導入された冷却用空気は、第２封止部１１３を冷却した後にランプ本体１１の上部に導かれ、ランプ本体１１の下部に流通して排気口１７３から排気される。これによれば、先ず、高温部であるランプ本体１１の上部に冷却用空気を流通させ、これにより暖められた冷却用空気を低温部であるランプ本体１１の下部に流通させることができる。また、リフレクタ１３の内部に導かれた冷却用空気のうちの一部を副反射鏡１１８の周辺に流通させることができる。したがって、ランプ本体１１上側の各部を十分に冷却して温度を低下させるとともに、ランプ本体１１下側の各部の過度の温度低下を抑制できるので、ランプ本体１１上部と下部との温度差を低減しつつランプ本体１１全体を適切に冷却することができる。これにより、ハロゲンサイクルを効率よく行わせてランプ本体１１の発光部１１１の失透や黒化を防止することができ、光源装置１の長寿命化が実現できる。・・・
【００３９】
　また、上記した第１実施形態では、ランプ本体１１の下側に送風口１７１を配置し、ランプ本体１１の上側の送風口１７１と対向する位置に整流板１７４を配置した場合について説明したが、以下のようにしてもよい。図６は、光源装置の冷却構造の変形例を説明する図であり、光源装置の概略正面図である。本変形例では、ハウジング４２１の底面には、ハウジング４２１の内側と外側とを連通する２つの送風口４２１ａ，４２１ｂが形成されており、ハウジング４２１上面の内壁には、送風口４２１ａ，４２１ｂと対向する位置に、それぞれ送風口４２１ａ，４２１ｂから導入される冷却用空気を整流する整流板４２５ａ，４２５ｂが配置されている。また、光射出側から見て左側の側面及び右側の側面には、それぞれハウジング４２１の内部と外部とを連通する排気口４２３ａ，４２３ｂが形成されている。
【００４０】
　そして、本変形例の
冷却構造は、ハウジング４２１に具備される送風口４２１ａ，４２１ｂ、排気口４２３ａ，４２３ｂ、及び整流板４２５ａ，４２５ｂのほか、送風口４２１ａ，４２１ｂを介して光源装置１の内部にそれぞれ冷却用空気を送り込む冷却ファン４２７ａ，４２７ｂによって構成され
冷却ファン４２７ａによって導入される冷却用空気は、ハウジング４２１底面の送風口４２１ａから導入され、対向するハウジング４２１上面の整流板４２５ａに向けて流通され
整流板４２５ａによってランプ本体１１の上部に流通して各部を冷却した後、ランプ本体１１の下部周辺に導かれて、排気口４２３ａから排気され
同様にして、
冷却ファン４２７ｂによって導入される冷却用空気は、ハウジング４２１底面の送風口４２１ｂから導入され、対向するハウジング４２１上面の整流板４２５ｂに向けて流通され
整流板４２５ｂによってランプ本体１１の上部に流通して各部を冷却した後、ランプ本体１１の下部周辺に導かれて、排気口４２３ｂから排気される
　
（ウ）上記（イ）で言及される図１ないし３及び図６は次のものである。
　
イ　上記アによれば、引用文献１には、次の発明（以下、「引用発明１」という。）が記載されていると認められる。
「放電発光型の発光管であるランプ本体１１と、ランプ本体１１から射出された光源光を反射する楕円型のリフレクタ１３と、リフレクタ１３で反射された光源光をコリメートする凹レンズ１５とを含み、
　前記ランプ本体１１から射出された光源光は、リフレクタ１３及び凹レンズ１５を経て平行化され、前方側に射出され、
　前記ランプ本体１１は、リフレクタ１３に支持されてリフレクタ１３とともにランプ装置を構成しており、リフレクタ１３と凹レンズ１５とは、保持部の一例であるハウジングにアライメントされた状態で固定され、
　前記ランプ本体１１は、中央部が球状に膨出した石英ガラス管から構成され、中央部分が発光部１１１、この発光部１１１の両側に延びる部分が第１及び第２封止部１１２，１１３となっていて、
　前記発光部１１１の内部には、所定距離で離間配置される一対のタングステン製の電極１１４，１１５の先端部が封入され、電圧を印加すると、一対の電極１１４，１１５間でアーク放電が生じ、発光部１１１が高輝度で発光するプロジェクタに用いる光源装置であって、
　前記光源装置は、内部に冷却用の空気（冷却用空気）を導入し、ランプ本体１１の各部を冷却する冷却構造を備え、
　前記冷却構造は、ハウジングに具備される送風口４２１ａ，４２１ｂ、排気口４２３ａ，４２３ｂ、及び整流板４２５ａ，４２５ｂのほか、送風口４２１ａ，４２１ｂを介して光源装置の内部にそれぞれ冷却用空気を送り込む冷却ファン４２７ａ，４２７ｂによって構成され、
　前記冷却ファン４２７ａによって導入される冷却用空気は、ハウジング底面の送風口４２１ａから導入され、対向するハウジング上面の整流板４２５ａに向けて流通され、整流板４２５ａによってランプ本体１１の上部に流通して各部を冷却した後、ランプ本体１１の下部周辺に導かれて、排気口４２３ａから排気され、
　同様にして、前記冷却ファン４２７ｂによって導入される冷却用空気は、ハウジング底面の送風口４２１ｂから導入され、対向するハウジング上面の整流板４２５ｂに向けて流通され、整流板４２５ｂによってランプ本体１１の上部に流通して各部を冷却した後、ランプ本体１１の下部周辺に導かれて、排気口４２３ｂから排気されるものである、
　光源装置。」
　
（２）対比
　本願発明と引用発明１とを対比する。
ア　引用発明１の「放電発光型の発光管であるランプ本体１１」、「射出された光源光」、「（楕円型の）リフレクタ１３」、「前方側」、「ハウジング」、「（内部には、所定距離で離間配置される一対のタングステン製の電極１１４，１１５の先端部が封入された）発光部１１１」、「一対の電極１１４，１１５」、「一対の電極１１４，１１５間でアーク放電が生じ、発光部１１１が高輝度で発光する」、「プロジェクタに用いる光源装置」、「冷却用の空気（冷却用空気）」、「冷却用空気を送り込む冷却ファン４２７ａ，４２７ｂ」及び「光源装置」は、本願発明の「放電発光する発光管」、「出射される光束」、「（略凹曲面状の反射面を有する）第１反射部材」、「進行方向」、「収納体」、「（内部に一対の電極が配置された）発光部」、「一対の電極」、「一対の電極間で放電発光」、「プロジェクターに組み込んで使用される光源装置」、「冷却流体」、「冷却流体を送出する冷却装置」及び「光源装置」にそれぞれ相当する。
　
イ　引用発明１の「リフレクタ１３」は、「ランプ本体１１から射出された光源光は、リフレクタ１３及び凹レンズ１５を経て平行化され、前方側に射出され」るものであるから、ランプ本体１１に対して前方側とは反対側に位置し、光源光を前方側に反射させるものであることは明らかである。
　したがって、引用発明１の「ランプ本体１１から射出された光源光は、リフレクタ１３及び凹レンズ１５を経て平行化され、前方側に射出され」る「リフレクタ１３」は、本願発明の「第１反射部材」と、「前記発光部に対して当該光源装置から出射される光束の進行方向とは反対方向側に位置し、前記発光部から入射された光を前記進行方向側に反射させる」点で一致する。
　
ウ　引用発明１の「ハウジング１７」は、「リフレクタ１３と凹レンズ１５と」を「アライメントされた状態で固定」し、「ランプ本体１１は、リフレクタ１３に支持されてリフレクタ１３とともにランプ装置を構成」するものであるから、「ハウジング１７」が、ランプ本体１１及びリフレクタ１３を内部に収納する空間を有することは明らかである。
　したがって、引用発明１の「リフレクタ１３と凹レンズ１５と」を「アライメントされた状態で固定」し、「ランプ本体１１は、リフレクタ１３に支持されてリフレクタ１３とともにランプ装置を構成」する「ハウジング１７」は、本願発明の「収納体」と、「前記発光管及び前記第１反射部材を内部に収納する」「前記発光管が収納される収納空間」を有する点で一致する。
　
エ　引用発明１の「送風口４２１ａ，４２１ｂ」は、「ハウジングに具備され」、「送風口４２１ａ，４２１ｂを介して光源装置の内部にそれぞれ冷却用空気を送り込む」ものであって、「冷却ファン４２７ａによって導入される冷却用空気は、ハウジング底面の送風口４２１ａから導入され」、「同様にして、前記冷却ファン４２７ｂによって導入される冷却用空気は、ハウジング底面の送風口４２１ｂから導入され」るものであるから、「ハウジング」は、「送風口４２１ａ，４２１ｂ」を介して導入された冷却用空気を光源装置の内部に流通させるものであるといえる。
　したがって、引用発明１の、「送風口４２１ａ，４２１ｂを介して光源装置の内部にそれぞれ冷却用空気を送り込む」「冷却ファン４２７ａによって導入される冷却用空気は、ハウジング底面の送風口４２１ａから導入され」、「同様にして、前記冷却ファン４２７ｂによって導入される冷却用空気は、ハウジング底面の送風口４２１ｂから導入され」る「送風口４２１ａ，４２１ｂ」を具備する「ハウジング」は、本願発明の「収納体」と、「導入口を介して導入された前記冷却流体を、前記収納空間内に流通させる」点で一致する。
　
オ　上記アないしエによれば、両者は、
「冷却流体を送出する冷却装置を備えたプロジェクターに組み込んで使用される光源装置であって、
　内部に一対の電極が配置された発光部を有し、当該一対の電極間で放電発光する発光管と、
　前記発光部に対して当該光源装置から出射される光束の進行方向とは反対方向側に位置し、前記発光部から入射された光を前記進行方向側に反射させる略凹曲面状の反射面を有する第１反射部材と、
　前記発光管及び前記第１反射部材を内部に収納する収納体と、を有し、
　前記収納体は、
　前記発光管が収納される収納空間と、
　導入口を介して導入された前記冷却流体を、前記収納空間内に流通させる複数の開口部と、を有する、
　光源装置。」
である点で一致し、
　複数の開口部について、本願発明では、「前記複数の開口部は、前記発光管の中心軸が略水平方向に沿うように前記発光管が配置された場合に、それぞれ前記発光管より鉛直方向における上側の位置で、かつ、前記発光管の中心を通る鉛直面に対して略対称となる位置に形成及び配置され、当該複数の開口部を通過する前記冷却流体をそれぞれ略同じ流速で通過させて前記発光部より鉛直方向における上側で、かつ、前記第１反射部材の反射面上に設定された衝突位置にて衝突させ、前記衝突位置にて衝突した前記冷却流体の一部は、前記発光部における上部に流通する」のに対して、引用発明１では、「冷却ファン４２７ａによって導入される冷却用空気は、ハウジング底面の送風口４２１ａから導入され、対向するハウジング上面の整流板４２５ａに向けて流通され、整流板４２５ａによってランプ本体１１の上部に流通して各部を冷却した後、ランプ本体１１の下部周辺に導かれて、排気口４２３ａから排気され、同様にして、前記冷却ファン４２７ｂによって導入される冷却用空気は、ハウジング底面の送風口４２１ｂから導入され、対向するハウジング上面の整流板４２５ｂに向けて流通され、整流板４２５ｂによってランプ本体１１の上部に流通して各部を冷却した後、ランプ本体１１の下部周辺に導かれて、排気口４２３ｂから排気されるもの」である点（以下「相違点１」という）で相違する。
　
（３）判断
　上記相違点１について検討する。
　本願発明と引用発明１は、単に、送風口を収容体（ハウジング）における発光部より上側か下側に設けるかのみで相違するものではないから、単に、引用発明１のハウジング下側に設けられた送風口を上側に設計変更することにより、本願発明が引用発明１から容易に想到できたものであるとはいえない。　
　
（４）小括
　したがって、本願発明は、当業者が引用発明１に基づいて容易に発明をすることができたとはいえない。
　また、本願の請求項２ないし９に係る発明は、本願発明をさらに限定したものであるので、同様に、当業者が引用発明１に基づいて容易に発明をすることができたとはいえない。
　よって、原査定の理由によっては、本願を拒絶することはできない。
　
第４　当審拒絶理由について
１　当審拒絶理由の概要
［理由１］
　本願は、特許請求の範囲及び発明の詳細な説明の記載が下記の点で、特許法第３６条第６項第２号に規定する要件を満たしていない。
　
　　　　　　　　　　　　　　　　　記
　
（１）「第２反射部材」について
　本願請求項１に係る発明は、「発光部から出射された光を反射させる略凹曲面状の反射面を有する」「第２反射部材」を発明特定事項とする。
　しかしながら、請求項１及び２の記載は、「第１反射部材」及び「第２反射部材」が、それぞれ「主反射鏡５５」及び「副反射鏡５２」のいずれを特定するものであるのか不明確であり、また、「設定された衝突位置」が、「主反射鏡５５」及び「副反射鏡５２」のいずれにあるのかも不明確である。
　
（２）「鉛直方向」、「上側の位置」、「鉛直面」及び「上部」について
　本願請求項１に係る発明は、「鉛直方向における上側の位置で、かつ、前記発光管の中心を通る鉛直面に対して略対称となる位置に形成及び配置され、当該開口部を通過する前記冷却流体をそれぞれ略同じ流速で通過させて前記発光部より鉛直方向における上側で、かつ、前記第２反射部材の反射面上に設定された衝突位置にて衝突させ、前記衝突位置にて衝突した前記冷却流体の一部は、前記発光部における上部に流通する」ことを発明特定事項とする。
　しかしながら、請求項１は、「光源装置」をどのように配置するのか（後記引例の「正置き姿勢」及び「天吊り姿勢」参照。）特定しないため、本願明細書に記載された発明のように横に光放出する置き方（前述の「正置き姿勢」。）のみならず、真上に光放出する置き方（前述の「天吊り姿勢」。）も含み得るものである。
　そうすると、「光源装置」の配置を特定することなく、「鉛直方向」、「上側の位置」、「鉛直面」及び「上部」とのみ特定しても、「光源装置」の配置によっては、本願明細書に記載された発明と別異の構成を含むから、上記アの本願請求項１の記載は不明確である。
　
（３）以上（１）及び（２）での検討によれば、請求項１及び２に係る発明は明確でない。
　また、請求項１及び２を引用する請求項３ないし９も同様である。
　
［理由２］
　本願発明は、その優先日前に日本国内または外国において頒布された下記の刊行物に記載された発明であるから、特許法第２９条第１項第３号に該当し、特許を受けることができない。
［理由３］
　本願発明は、その優先日前に日本国内又は外国において、頒布された刊行物に記載された発明又は電気通信回線を通じて公衆に利用可能となつた発明に基づいて、その出願前にその発明の属する技術の分野における通常の知識を有する者が容易に発明をすることができたものであるから、特許法第２９条第２項の規定により特許を受けることができない。
　
　　　　　　　　　　　　　　　　　記
　
・引用文献２　特開２０１０−３８９７６号公報
　
　引用文献２に記載された発明の「冷却空気」は、「発光部５１１におけるＹ方向の上部に流通する」とのみ特定されるが、引用文献２には、「排気口６１Ｄ１は、発光管５１を挟んで一対の開口部６１Ｃ３，６１Ｃ４とは反対側に形成されている。詳述すると、排気口６１Ｄ１は、一対の開口部６１Ｃ３，６１Ｃ４の中心を結ぶ仮想の直線の略中央を通り、かつ、Ｘ方向に沿う仮想の直線上に中心を有するので、開口部６１Ｃ３，６１Ｃ４から排気口６１Ｄ１までの冷却空気の流路長は、どちらの開口部６１Ｃ３，６１Ｃ４が利用される場合でも略同じとなる。」（段落【００５９】）と記載されていることから、引用文献２に記載された発明においても、ファン９３から開口部６１Ｃ３，６１Ｃ４までの冷却空気の流路長も略同じと認められる。
　そうすると、ファン９３から開口部６１Ｃ３，６１Ｃ４までの冷却空気の流路長が略同じであるから、開口部６１Ｃ３及び６１Ｃ４を通過する冷却空気の流速は略同じ流速となるものと理解される。
　また、引用文献２に記載された発明の「発光部５１１におけるＹ方向の上部に流通する」「開口部６１Ｃ３、６１Ｃ４を通過する」「冷却空気」は、反射鏡５２付近まで直進した後、反射鏡５２に沿って下降するものである。
　そうすると、反射鏡５２付近まで直進した冷却空気には、反射鏡５２に至ることなく下降するものもあれば、反射鏡５２に至ってから下降するものもあることは自明のことである。
　したがって、当該反射鏡５２付近まで直進した後に反射鏡５２に至ってから下降する冷却空気は、反射鏡５２で衝突してから下降するものであるといえる。
　よって、引用文献２に記載された発明の「発光部５１１におけるＹ方向の上部に流通する」「開口部６１Ｃ３、６１Ｃ４を通過する」反射鏡５２付近まで直進した後、反射鏡５２に沿って下降する「冷却空気」の一部は、当該開口部６１Ｃ３、６１Ｃ４を通過する前記冷却空気を前記発光部５１１よりＹ方向における上側で、かつ、反射鏡５２の反射面５２１上に設定された衝突位置にて衝突させ、前記衝突位置にて衝突した前記冷却空気の一部であるといえる。
　したがって、本願発明は、引用文献２に記載された発明である。
　また、そうでないとしても、本願発明は、引用文献２に記載された発明に基づいて、当業者が容易に発明をすることができたものである。
　
２　当審拒絶理由の判断
（１）当審拒絶理由の［理由１］について
　平成２８年８月３１日付け手続補正書によって、本願の請求項１は「
前記発光部に対して当該光源装置から出射される光束の進行方向とは反対方向側に位置し、
入射
前記進行方向側に
１
１
前記発光管の中心軸が略水平方向に沿うように前記発光管が配置された場合に、
複数の
１
　このことにより、請求項１に係る発明は明確となった。
　よって、当審拒絶理由［理由１］は解消した。
　
（２）当審拒絶理由の［理由２］及び［理由３］について
ア　引用刊行物及び引用発明
（ア）本願の優先日前に頒布された刊行物である引用文献２には、以下の記載がある。
ａ　「【００２７】
　光源装置５は、前述のように、
発光管５１及び反射鏡５２を有する光源ランプ５０
を収納する収納体６とを備え
　このうち、収納体６は、図３〜図５に示すように、収納体本体６１と、当該収納体本体６１のＺ方向先端側を覆う第１カバー６２と、Ｚ方向基端側を覆う第２カバー６３と、収納体本体６１内に冷却空気を導入するダクト部材６４と、光源収納部材４７内に設けられた本体側コネクタ（図示省略）に接続される装置側コネクタ６５とを備えている。・・・
【００３０】
　〔収納体本体の構成〕
　
収納体本体６１は、
光源ランプ５０のＺ方向先端側が内部に収納配置されるランプ収納部６１３
形成され
【００３７】
　〔ダクト部材の構成〕
　図８及び図９は、ダクト部材６４を示す分解斜視図及び断面図である。
　
ダクト部材６４は、
Ｙ方向の中央を中心として略対称に形成され
端面６１Ｃの開口部６１Ｃ３，６１Ｃ４
を覆い、
　
ｂ　「【００４７】
　〔正置き姿勢での冷却空気の流路〕
　図１２〜図１４は、プロジェクタ１が正置き姿勢にある場合の光源ランプ５０を冷却する冷却空気の流路を示す図である。具体的に、図１２は、図１０と同じ位置から見た際の冷却空気の流路を示し、図１３は、Ｚ方向基端側から見た際の冷却空気の流路を示し、また、図１４は、光源装置５の内部をＸ方向先端側から見た際の冷却空気の流路を示している。なお、図１３においては、反射鏡５２及び第２カバー６３の図示を省略し、また、図１４においては、第２カバー６３の図示を省略している。
　以下、
Ｙ方向先端側を上側とした場合、
プロジェクタ１が正置き姿勢
の光源装置
【００４８】
　
光源装置５内には、
ファン９３によって吐出された冷却空気が
導入され
　具体的に、流路Ｓ１では、
ファン９３により吐出された冷却空気は、
導入口６４１Ａ
及び開口部６４２Ａを介して、
【００４９】
　ここで、自重によって下方向に回動した整流板６４２５により、開口部６１Ｃ４に向かう流路が閉塞されているので、ダクト本体６４１内に導入された冷却空気は、傾斜部６４１３１に沿い、かつ、開口部６１Ｃ３に向かって流通した後、当該開口部６１Ｃ３、ダクト部６１４、及び、遮光部材６６の開口部６６５を介して、
ランプ収納部６１３内に進入
　この際、前述のように、ランプ収納部６１３内には、開口部６１Ｃ３に対向するように、遮光部材６６の整流部６６３が位置しているので、当該整流部６６３により冷却空気の流通方向が変更され、当該整流部６６３のＺ方向先基端側に形成された開口部６６５を介して、当該冷却空気は、ランプ収納部６１３内に進入する。
【００５０】
　
ランプ収納部６１３内に進入した冷却空気の一部は、
断面略凹状に形成された反射鏡５２の反射面５２１に沿って下側に流通し、
【００５１】
　ここで、
発光管５１は、内部に一対の電極が配置され、かつ、内封された発光物質により、当該各電極間で放電発光する略球状の発光部５１１
を備え
【００５２】
　一方、このような副反射鏡５１３は、発光部５１１のＺ方向先端側を覆っているので、Ｚ方向先端側から直接冷却空気を発光部５１１に当てて冷却しようしても、当該副反射鏡５１３で冷却空気が遮られてしまい、発光部５１１の冷却効率が下がってしまう。これに対し、整流部６６３により整流された冷却空気の一部が、反射鏡５２の反射面５２１に沿って流れ、発光部５１１の後方側から下側に流通することにより、発光部５１１が冷却される。従って、副反射鏡５１３が取り付けられていても、発光部５１１を効率よく冷却することができる。
【００５３】
　そして、このような発光管５１には、上側から下側に向かって冷却空気が流通するので、発光部５１１が上側から冷却される。このため、発光部５１１の上側の過度の温度上昇を抑制することができるので、発光部５１１を構成するガラスの白濁や、変形等の発生を防止することができる。また、逆に、発光部５１１の下側の過度の温度低下を抑制することができるので、発光部５１１の内部環境に変化が生じることを抑制することができ、発光管５１の長寿命化を図ることができる。また、発光管５１だけでなく、反射鏡５２にも冷却空気が流れるので、光源ランプ５０全体の長寿命化も図ることができる。
【００５４】
　流路Ｓ２では、図１２及び図１３に示すように、ランプ収納部６１３内の冷却空気が、遮光部材６６の開口部６６７、メッシュＭ及び排気口６１Ｄ１を介して、当該排気口６１Ｄ１に対向配置されたファン９４によって吸引され、光源装置５外に排出される。この際、発光管５１を冷却した冷却空気は、図１４に示すように、反射面５２１の下側に沿って流通した後、開口部６６７に向かって流通し、排出される。
【００５５】
　〔天吊り姿勢での冷却空気の流路〕
　図１５及び図１６は、プロジェクタ１が天吊り姿勢にある場合の光源ランプ５０を冷却する冷却空気の流路を示す図である。換言すると、図１５及び図１６は、光源装置５の内部をＺ方向基端側、及び、Ｘ方向先端側から見た際の冷却空気の流路を示している。なお、図１５においては、第２カバー６３の図示を省略している。
　Ｙ方向先端側を下側とした場合、すなわち、プロジェクタ１が天吊り姿勢にある場合の光源装置５においては、上記の場合を上下反転させた流路Ｔ１，Ｔ２に沿って冷却空気は流通して、発光管５１及び反射鏡５２を冷却する。・・・
【００５７】
　以上説明した本実施形態のプロジェクタ１によれば、以下の効果がある。
　（１）一対の開口部６１Ｃ３，６１Ｃ４を覆うように取り付けられたダクト部材６４の整流板６４２５により、上側に位置する開口部側に、光源ランプ５０を冷却する冷却空気の流路は切り替えられる。このような整流板６４２５は、自重によって冷却空気の流路を切り替えるので、プロジェクタ１ひいては光源装置５の姿勢を検出する検出手段、及び、検出された姿勢に応じて整流板６４２５を回動させるモータ等の回動手段を設ける必要がない。従って、プロジェクタ１が正置き姿勢及び天吊り姿勢のどちらの場合でも、上側に位置する開口部に冷却空気を流通させることができるので、簡易な構成で、光源ランプ５０を効率よく冷却することができる。また、これにより、光源ランプ５０の長寿命化を図ることができるので、光源装置５の交換頻度を低減させることができ、プロジェクタ１のメンテナンスの手間を省くことができる。
【００５８】
　（２）整流板６４２５は、自重によって回動して、一対の開口部６１Ｃ３，６１Ｃ４のうち上側に位置する開口部に冷却空気を導くので、発光管５１を上側から冷却することができる。従って、発光部５１１の上側を効率よく冷却することができるので、発光管５１を一層効率よく冷却することができ、当該発光管５１の劣化を抑制することができる。
【００５９】
　（３）排気口６１Ｄ１は、発光管５１を挟んで一対の開口部６１Ｃ３，６１Ｃ４とは反対側に形成されている。詳述すると、排気口６１Ｄ１は、一対の開口部６１Ｃ３，６１Ｃ４の中心を結ぶ仮想の直線の略中央を通り、かつ、Ｘ方向に沿う仮想の直線上に中心を有するので、開口部６１Ｃ３，６１Ｃ４から排気口６１Ｄ１までの冷却空気の流路長は、どちらの開口部６１Ｃ３，６１Ｃ４が利用される場合でも略同じとなる。従って、発光管５１を挟んで開口部６１Ｃ３，６１Ｃ４とは反対側に排気口６１Ｄ１が形成されているので、発光管５１に冷却空気を確実に送風することができるほか、開口部６１Ｃ３，６１Ｃ４のどちらが上側に位置していても、それぞれ同じように発光管５１に冷却空気を送風することができる。」
　
ｃ　上記ｂで言及される、図７ないし１６は次のものである。
　
ｄ　上記ａ及びｂの記載を踏まえて、上記ｃの図１３及び１４をみると、開口部６１Ｃ３，６１Ｃ４は、それぞれ発光管５１よりＹ方向における上側及び下側の位置で、かつ、前記発光管５１のＹ方向の中央を中心として略対称に形成され、当該開口部６１Ｃ３を通過する冷却空気Ｓ１は発光部５１１よりＹ方向における上側で、かつ、反射鏡５２の反射面５２１に向い、前記冷却空気の一部は、前記発光部５１１におけるＹ方向における上部に流通することがみてとれる。
　また、上記ｃの図１２を踏まえて図１３をみると、整流板６４２５により、発光管５１よりＹ方向における上側に形成された開口部６１Ｃ３から冷却空気が流入し、発光管５１よりＹ方向における下側に形成された開口部６１Ｃ４からは冷却空気が流入しないことがみてとれる。
　さらに、上記ｃの図１４によれば、「発光部５１１におけるＹ方向の上部に流通する」「開口部６１Ｃ３を通過する」「冷却空気Ｓ１」は、反射鏡５２付近まで直進した後、反射鏡５２に沿って下降することがみてとれる。
　
（イ）引用発明
　上記（ア）によれば、引用文献２には、次の発明（以下、「引用発明２」という。）が記載されているものと認められる。
「光源装置５内には、ファン９３によって吐出された冷却空気が導入され、Ｙ方向先端側を上側とした場合である、プロジェクタ１が正置き姿勢の光源装置５であって、
　発光管５１は、内部に一対の電極が配置され、かつ、内封された発光物質により、当該各電極間で放電発光する略球状の発光部５１１を備え、
　ランプ収納部６１３内に進入した冷却空気の一部は、断面略凹状に形成された反射鏡５２の反射面５２１に沿って下側に流通し、
　発光管５１及び反射鏡５２を有する光源ランプ５０を収納する収納体６とを備え、
　収納体本体６１は、光源ランプ５０のＺ方向先端側が内部に収納配置されるランプ収納部６１３を形成し、
　前記ファン９３により吐出された冷却空気は、導入口６４１Ａ及び開口部６４２Ａを介して、ランプ収納部６１３内に進入し、
　ダクト部材６４は、Ｙ方向の中央を中心として略対称に形成され、端面６１Ｃの開口部６１Ｃ３、６１Ｃ４を覆い、
　前記開口部６１Ｃ３，６１Ｃ４は、それぞれ発光管５１よりＹ方向における上側及び下側の位置で、かつ、前記発光管５１のＹ方向の中央を中心として略対称に形成され、当該開口部６１Ｃ３を通過する冷却空気の一部は、前記発光部５１１におけるＹ方向における上部に流通するものであって、
  整流板６４２５により、発光管５１よりＹ方向における上側に形成された開口部６１Ｃ３から冷却空気が流入し、発光管５１よりＹ方向における下側に形成された開口部６１Ｃ４からは冷却空気が流入しない、
　光源装置５。」
　
イ　対比・判断
（ア）本願発明と引用発明２とを対比する。
　引用発明２の「ファン９３」、「冷却空気」、「Ｙ方向」、「プロジェクタ１」、「発光管５１」、「電極」、「発光部５１１」、「ランプ収納部６１３」、「反射鏡５２」、「反射面５２１」、「『収納体６』及び『収納体本体６１』」、「導入口６４１Ａ」、「開口部６１Ｃ３、６１Ｃ４」及び「光源装置５」は、本願発明の「冷却装置」、「冷却流体」、「鉛直方向」、「プロジェクター」、「発光管」、「電極」、「発光部」、「収納空間」、「第１反射部材」、「反射面」、「収納体」、「導入口」、「開口部」及び「光源装置」にそれぞれ相当するから、両者は、
「冷却流体を送出する冷却装置を備えたプロジェクターに組み込んで使用される光源装置であって、
　内部に一対の電極が配置された発光部を有し、当該一対の電極間で放電発光する発光管と、
　前記発光部に対して当該光源装置から出射される光束の進行方向とは反対方向側に位置し、前記発光部から入射された光を前記進行方向側に反射させる略凹曲面状の反射面を有する第１反射部材と、
　前記発光管及び前記第１反射部材を内部に収納する収納体と、を有し、
　前記収納体は、
　前記発光管が収納される収納空間と、
　導入口を介して導入された前記冷却流体を、前記収納空間内に流通させる複数の開口部と、を有し、
　前記複数の開口部は、前記発光管の中心軸が略水平方向に沿うように前記発光管が配置された場合に、それぞれ前記発光管の中心を通る鉛直面に対して略対称となる位置に形成及び配置され、
　前記冷却流体の一部は、前記発光部における上部に流通する
　光源装置。」
である点で一致し、下記の点で相違する。
　
・本願発明は、「複数の開口部を通過する前記冷却流体をそれぞれ略同じ流速で通過させて前記発光部より鉛直方向における上側で、かつ、前記第１反射部材の反射面上に設定された衝突位置にて衝突させ」るものであるのに対して、引用発明２は、「整流板６４２５により、発光管５１よりＹ方向における上側に形成された開口部６１Ｃ３から冷却空気が流入し、発光管５１よりＹ方向における下側に形成された開口部６１Ｃ４からは冷却空気が流入しない」点（以下、「相違点２」という。）。
　
（イ）判断
　上記相違点２について検討する。
　引用発明２の「冷却空気」は、「整流板６４２５」により、「発光管５１よりＹ方向における上側に形成された開口部６１Ｃ３から冷却空気が流入し、発光管５１よりＹ方向における下側に形成された開口部６１Ｃ４からは冷却空気が流入しない」よう構成するものであって、「複数の開口部を通過する前記冷却流体をそれぞれ略同じ流速で通過させ」る本願発明とは相違しているところ、当該整流板６４２５は、引用文献２に「（１）一対の開口部６１Ｃ３，６１Ｃ４を覆うように取り付けられたダクト部材６４の整流板６４２５により、上側に位置する開口部側に、光源ランプ５０を冷却する冷却空気の流路は切り替えられる。このような整流板６４２５は、自重によって冷却空気の流路を切り替えるので、プロジェクタ１ひいては光源装置５の姿勢を検出する検出手段、及び、検出された姿勢に応じて整流板６４２５を回動させるモータ等の回動手段を設ける必要がない。従って、プロジェクタ１が正置き姿勢及び天吊り姿勢のどちらの場合でも、上側に位置する開口部に冷却空気を流通させることができるので、簡易な構成で、光源ランプ５０を効率よく冷却することができる。また、これにより、光源ランプ５０の長寿命化を図ることができるので、光源装置５の交換頻度を低減させることができ、プロジェクタ１のメンテナンスの手間を省くことができる。・・・（２）整流板６４２５は、自重によって回動して、一対の開口部６１Ｃ３，６１Ｃ４のうち上側に位置する開口部に冷却空気を導くので、発光管５１を上側から冷却することができる。従って、発光部５１１の上側を効率よく冷却することができるので、発光管５１を一層効率よく冷却することができ、当該発光管５１の劣化を抑制することができる。」（上記（ア）ｂ　段落【００５７】〜【００５８】）と記載されており、引用発明２の効果を奏する構成要素であって、これを取り除いて開口部６１Ｃ３及び開口部６１Ｃ４の両方から冷却空気が流入する構成となすことは想定できない。
　
ウ　小括
　したがって、本願発明は、当業者が引用発明２に基づいて容易に発明をすることができたものとはいえなくなった。
　本願の請求項２ないし９に係る発明についても、本願発明をさらに限定したものであるので、本願発明と同様に、当業者が引用発明２に基づいて容易に発明をすることができたものとはいえなくなった。
　そうすると、もはや、当審で通知した拒絶理由によって本願を拒絶することはできない。
　
第５　むすび
　以上のとおり、原査定の理由によっては、本願を拒絶することはできない。
　また、他に本願を拒絶すべき理由を発見しない。
　よって、結論のとおり審決する。